(57)【要約】【課題】強度を保ちつつも軽量で薄型化にも対応できる第２のガイド軸を備えた光ピックアップモジュールおよび光ディスク装置を提供することを目的とする。【解決手段】スピンドルモータ２と、光ピックアップ７と、フィードモータ３と、フィードモータ３の駆動力を光ピックアップ７に伝達する伝達機構と、第１のガイド軸５と、両端の部分を支持され光ピックアップ７を中央の部分で移動自在に保持する第２のガイド軸６とを備え、第２のガイド軸６の光ピックアップ７を保持する部分の直径はΦ１．７ｍｍ以下で第２のガイド軸６が支持される部分の直径以上とし、また所定の式を満たす光ピックアップモジュール１４とした。【選択図】図１
2006252693.tif 000002
【特許請求の範囲】
【請求項１】
光ディスクを回転させるスピンドルモータと、
レーザ光源と前記レーザ光源より出射されたレーザ光を前記光ディスクに集光させる対物レンズとを備えた光学系と、前記光学系を搭載したキャリッジと、前記キャリッジの前記光ディスク側に設けられたＦＰＣカバーとを備え、前記光ディスクに対して情報の記録または再生の少なくとも一方を行う光ピックアップと、
前記光ディスクの内周と外周の間で前記光ピックアップを移動させる駆動力を生成するフィードモータと、
前記フィードモータの駆動力を前記光ピックアップに伝達する伝達機構と、
両端の部分を支持され、前記伝達機構側の前記光ピックアップの一端を中央の部分で移動自在に保持する第１のガイド軸と、
両端の部分を支持され、前記伝達機構と逆側の前記光ピックアップの他端を中央の部分で移動自在に保持する第２のガイド軸とを備え、
前記第２のガイド軸の前記光ピックアップを保持する部分の直径はΦ１．７ｍｍ以下とし、前記第２のガイド軸の両端が支持される部分の直径以上とし、前記光ピックアップの質量をｍ（ｋｇ）、前記第２のガイド軸のヤング率をＥ（Ｐａ）、前記第２のガイド軸の降伏点をσ（Ｐａ）、前記第２のガイド軸の前記光ピックアップを保持する部分の直径をＤ（ｍ）、前記第２のガイド軸が両端で支持される間の長さをＬ（ｍ）、重力加速度をｇ（ｍ／ｓ2）、前記第２のガイド軸の曲率半径をρ（ｍ）、安全率をｎとした場合に（式１）から（式３）を満たすことを特徴とする光ピックアップモジュール。
ρ＝πＥＤ4／１６ｍｇＬ・・・（式１）
σＬ／Ｅｎ＝２ρｃｏｓ-1（（√（ρ2−（Ｌ／２）2））／ρ）−Ｌ・・・（式２）
ｃｏｓ-1（（√（ρ2−（Ｌ／２）2））／ρ）の単位はラジアン
ｎ≦１０，０００・・・（式３）
【請求項２】
前記第２のガイド軸は略円柱形状であることを特徴とする請求項１に記載の光ピックアップモジュール。
【請求項３】
前記第２のガイド軸の前記光ピックアップを保持する部分の直径をΦ１．０ｍｍ以上としたことを特徴とする請求項１に記載の光ピックアップモジュール。
【請求項４】
重心が前記第１のガイド軸の中心軸と前記第２のガイド軸の中心軸を結ぶ直線の中点より第１のガイド軸に近い側にある前記光ピックアップを備えたことを特徴とする請求項１に記載の光ピックアップモジュール。
【請求項５】
前記レーザ光源は近接した複数の発光点を備えたことを特徴とする請求項１に記載の光ピックアップモジュール。
【請求項６】
前記キャリッジの側面を切り欠き、前記ＦＰＣカバーとの間に隙間を設けた前記光ピックアップを備えたことを特徴とする請求項１に記載の光ピックアップモジュール。
【請求項７】
前記ＦＰＣカバーの一部を切り欠いた前記光ピックアップを備えたことを特徴とする請求項１に記載の光ピックアップモジュール。
【請求項８】
前記光ピックアップの前記スピンドルモータと対向する面の前記第２のガイド軸側の少なくとも一部を切り欠いたことを特徴とする請求項１に記載の光ピックアップモジュール。
【請求項９】
前記光ピックアップの前記光ディスクに対向した側の面から反対側の面までの厚さを５ｍｍ以下とした前記光ピックアップを備えたことを特徴とする請求項１に記載の光ピックアップモジュール。
【請求項１０】
前記光ピックアップの質量を１０．５ｇ以下としたことを特徴とする請求項１に記載の光ピックアップモジュール。
【請求項１１】
請求項１に記載の光ピックアップモジュールを備えたことを特徴とする光ディスク装置。
【発明の詳細な説明】
【技術分野】
【０００１】
本発明はパーソナルコンピュータ、特にノート型コンピュータに好適に搭載される光ディスク装置に備えられる光ピックアップモジュールおよびこの光ピックアップモジュールを搭載した光ディスク装置に関するものである。
【背景技術】
【０００２】
近年のパーソナルコンピュータ、特にノートブック型コンピュータの薄型、軽量化に伴い、それらに搭載される光ディスク装置も小型、軽量化が推し進められてきた。光ディスク装置の薄型化、軽量化を進めるには光ディスク装置に搭載される光ピックアップモジュールの薄型化、軽量化が不可欠である。
【０００３】
図５は従来の光ピックアップモジュールの構成図である。光ピックアップモジュール１１３のカバーは外している。ベース１０１は光ピックアップモジュール１１３の骨組みを成すもので、このベース１０１に直接的、間接的に各部品が固定される。光ディスクを載置するターンテーブルを備えたスピンドルモータ１０２はベース１０１に固定される。
【０００４】
フィードモータ１０３はベース１０１に固定される。フィードモータ１０３は光ピックアップ１０７が光ディスクの内周と外周の間を移動するために必要な回転駆動力を生成する。フィードモータ１０３としてステッピングモータ、ＤＣモータ等が使用される。スクリューシャフト１０４はらせん状に溝が掘られており、直接または数段のギアを介してフィードモータ１０３に接続されている。本従来例では直接接続させてある。第１のガイド軸１０５は両端の部分を調整部材１０９と固定部材１１０を介してベース１０１に固定されている。第２のガイド軸１０６は両端の部分を調整部材１１１、１１２を介してベース１０１に固定されている。第１のガイド軸１０５と第２のガイド軸１０６はそれぞれ中央の部分で光ピックアップ１０７を移動自在に保持する。光ピックアップ１０７はガイド歯を有するラック１０８を備えている。ラック１０８がスクリューシャフト１０４に伝達されたフィードモータ１０３の回転駆動力を直線駆動力に変換することで光ピックアップ１０７は光ディスクの内周と外周の間を移動することができる。本従来例の場合、スクリューシャフト１０４とラック１０８を合わせて伝達機構という。伝達機構側の光ピックアップ１０７の一端を保持するガイド軸を第１のガイド軸１０５、伝達機構と逆側の光ピックアップ１０７の他端を保持するガイド軸を第２のガイド軸１０６という。
【０００５】
光ピックアップ１０７はレーザ光源と、レーザ光源から出射されたレーザ光を光ディスクに焦点を結ばせる対物レンズに導く光学系と、光ディスクから反射した光を検出するセンサを備えている。光ピックアップ１０７は光ディスクに対して情報の記録または再生の少なくとも一方を行う。光ピックアップ１０７から出射されるレーザ光が光ディスクに対し直角に入射するように、第１のガイド軸１０５の調整部材１０９と第２のガイド軸１０６の調整部材１１１、１１２を調整して第１のガイド軸１０５および第２のガイド軸１０６の光ディスクに対する傾きを調整する。第２のガイド軸１０６の調整部材１１１、１１２に支持される部分は調整量を確保するため直径を細くしている。たとえば第２のガイド軸１０６の光ピックアップ１０７を保持する部分は直径Φ１．８ｍｍ、調整部材１１１、１１２に支持される部分は直径Φ１．２ｍｍとして段差を設けている（（特許文献１）および（特許文献２）参照のこと。）。
【特許文献１】特開２０００−２９８８４５号公報
【特許文献２】特開２００１−０２３３２０号公報
【発明の開示】
【発明が解決しようとする課題】
【０００６】
光ピックアップモジュールの薄型化、軽量化を進めるには１つ１つの部品の薄型化、軽量化を進めることも重要である。シャフト、ガイド軸類についても例外ではない。ところがシャフト、ガイド軸類は軸の強度を保つ必要があるために薄型化、軽量化は困難であった。
【０００７】
本発明は上記従来の問題点を解決するもので、強度を保ちつつも軽量で薄型化にも対応できる第２のガイド軸を備えた光ピックアップモジュールを提供することを目的とする。
【課題を解決するための手段】
【０００８】
上記目的を達成するために本発明の光ピックアップモジュールは、
光ディスクを回転させるスピンドルモータと、
レーザ光源と前記レーザ光源より出射されたレーザ光を前記光ディスクに集光させる対物レンズとを備えた光学系と、前記光学系を搭載したキャリッジと、前記キャリッジの前記光ディスク側に設けられたＦＰＣカバーとを備え、前記光ディスクに対して情報の記録または再生の少なくとも一方を行う光ピックアップと、
前記光ディスクの内周と外周の間で前記光ピックアップを移動させる駆動力を生成するフィードモータと、
前記フィードモータの駆動力を前記光ピックアップに伝達する伝達機構と、
両端の部分を支持され、前記伝達機構側の前記光ピックアップの一端を中央の部分で移動自在に保持する第１のガイド軸と、
両端の部分を支持され、前記伝達機構と逆側の前記光ピックアップの他端を中央の部分で移動自在に保持する第２のガイド軸とを備え、
前記第２のガイド軸の前記光ピックアップを保持する部分の直径はΦ１．７ｍｍ以下とし、前記第２のガイド軸の両端が支持される部分の直径以上とし、前記光ピックアップの質量をｍ（ｋｇ）、前記第２のガイド軸のヤング率をＥ（Ｐａ）、前記第２のガイド軸の降伏点をσ（Ｐａ）、前記第２のガイド軸の前記光ピックアップを保持する部分の直径をＤ（ｍ）、前記第２のガイド軸が両端で支持される間の長さをＬ（ｍ）、重力加速度をｇ（ｍ／ｓ2）、前記第２のガイド軸の曲率半径をρ（ｍ）、安全率をｎとした場合に（式１）から（式３）を満たすこととした。
【０００９】
ρ＝πＥＤ4／１６ｍｇＬ・・・（式１）
σＬ／Ｅｎ＝２ρｃｏｓ-1（（√（ρ2−（Ｌ／２）2））／ρ）−Ｌ・・・（式２）
ｃｏｓ-1（（√（ρ2−（Ｌ／２）2））／ρ）の単位はラジアン
ｎ≦１０，０００・・・（式３）
（式１）は第２のガイド軸の光ピックアップを保持する部分に曲げ応力がかかった時の曲率半径ρを求める式、（式２）は第２のガイド軸が最大に撓む場合に降伏点σまで応力がかかる式であり、それを（式３）の安全率を見込んで導出している。応力は安全率を見込んで降伏点σまでかけるとしているので第２のガイド軸の強度は十分確保できる。
【発明の効果】
【００１０】
本発明の光ピックアップモジュールの第２のガイド軸は強度を確保した上で第２のガイド軸の光ピックアップを保持する部分の直径を細くできるために軽量化をすることができると同時に薄型化にも対応できる。そのためこの第２のガイド軸を備えた光ピックアップモジュールは軽量化、薄型化することができる。
【発明を実施するための最良の形態】
【００１１】
本発明の請求項１の発明は、
光ディスクを回転させるスピンドルモータと、
レーザ光源と前記レーザ光源より出射されたレーザ光を前記光ディスクに集光させる対物レンズとを備えた光学系と、前記光学系を搭載したキャリッジと、前記キャリッジの前記光ディスク側に設けられたＦＰＣカバーとを備え、前記光ディスクに対して情報の記録または再生の少なくとも一方を行う光ピックアップと、
前記光ディスクの内周と外周の間で前記光ピックアップを移動させる駆動力を生成するフィードモータと、
前記フィードモータの駆動力を前記光ピックアップに伝達する伝達機構と、
両端の部分を支持され、前記伝達機構側の前記光ピックアップの一端を中央の部分で移動自在に保持する第１のガイド軸と、
両端の部分を支持され、前記伝達機構と逆側の前記光ピックアップの他端を中央の部分で移動自在に保持する第２のガイド軸とを備え、
前記第２のガイド軸の前記光ピックアップを保持する部分の直径はΦ１．７ｍｍ以下とし、前記第２のガイド軸の両端が支持される部分の直径以上とし、前記光ピックアップの質量をｍ（ｋｇ）、前記第２のガイド軸のヤング率をＥ（Ｐａ）、前記第２のガイド軸の降伏点をσ（Ｐａ）、前記第２のガイド軸の前記光ピックアップを保持する部分の直径をＤ（ｍ）、前記第２のガイド軸が両端で支持される間の長さをＬ（ｍ）、重力加速度をｇ（ｍ／ｓ2）、前記第２のガイド軸の曲率半径をρ（ｍ）、安全率をｎとした場合に（式１）から（式３）を満たすこととした光ピックアップモジュールである。
【００１２】
ρ＝πＥＤ4／１６ｍｇＬ・・・（式１）
σＬ／Ｅｎ＝２ρｃｏｓ-1（（√（ρ2−（Ｌ／２）2））／ρ）−Ｌ・・・（式２）
ｃｏｓ-1（（√（ρ2−（Ｌ／２）2））／ρ）の単位はラジアン
ｎ≦１０，０００・・・（式３）
強度を保ったまま第２のガイド軸の光ピックアップを保持する部分を細くすることができる。そのため、この第２のガイド軸を備えた光ピックアップモジュールは軽量化、薄型化することができる。
【００１３】
本発明の請求項２の発明は、請求項１の発明において前記第２のガイド軸は略円柱形状である光ピックアップモジュールである。
【００１４】
第２のガイド軸の両端が支持される部分の直径と光ピックアップを保持する部分の直径とを等しくして段差を設けないため、第２のガイド軸を作製する上において製造コストを低く押さえることができる。
【００１５】
本発明の請求項３の発明は、請求項１の発明において前記第２のガイド軸の前記光ピックアップを保持する部分の直径をΦ１．０ｍｍ以上とした光ピックアップモジュールである。
【００１６】
そのため、強度を保ったまま第２のガイド軸の光ピックアップを保持する部分を細くすることができる。そのため、この第２のガイド軸を備えた光ピックアップモジュールは軽量化、薄型化することができる。
【００１７】
本発明の請求項４の発明は、請求項１の発明において重心が前記第１のガイド軸の中心軸と前記第２のガイド軸の中心軸を結ぶ直線の中点より第１のガイド軸に近い側にある前記光ピックアップを備えた前記光ピックアップを備えた光ピックアップモジュールである。
【００１８】
そのため光ピックアップの質量が同じでも第２のガイド軸側の質量は小さいので第２のガイド軸にかかる荷重を小さくすることができる。
【００１９】
本発明の請求項５の発明は、請求項１の発明において前記レーザ光源は近接した複数の発光点を備えた光ピックアップモジュールである。
【００２０】
近接した複数の発光点を備える１つのレーザ光源にまとめることができるので１つの発光点を備えた複数のレーザ光源が離れた位置にあるよりも光学部品の点数を減らすことができる。そのため光ピックアップの質量を小さくすることができ、第２のガイド軸にかかる荷重を小さくすることができる。
【００２１】
本発明の請求項６の発明は、請求項１の発明において前記キャリッジの側面を切り欠き、前記ＦＰＣカバーとの間に隙間を設けた前記光ピックアップを備えた光ピックアップモジュールである。
【００２２】
キャリッジの側面を切り欠くためキャリッジの質量を小さくできる。そのため第２のガイド軸にかかる荷重を小さくすることができる。特に第２のガイド軸に近い側を切り欠くことで、その効果は大きくなる。さらに光ピックアップ内部に導入した空気流をこの切り欠きから逃がすことができるので、光ピックアップの発熱体の過熱を防ぐことができる。
【００２３】
本発明の請求項７の発明は、請求項１の発明において前記ＦＰＣカバーの一部を切り欠いた前記光ピックアップを備えた光ピックアップモジュールである。
【００２４】
光ピックアップの質量を小さくできるため、第２のガイド軸にかかる荷重を小さくできる。特に第２のガイド軸に近い側を切り欠くことで効果は大きくなる。さらに光ピックアップ内部に空気流をこの切り欠きから導入することができるので、光ピックアップの発熱体の過熱を防ぐことができる。
【００２５】
本発明の請求項８の発明は、請求項１の発明において前記光ピックアップの前記スピンドルモータと対向する面の前記第２のガイド軸側の少なくとも一部を切り欠いた光ピックアップモジュールである。
【００２６】
光ピックアップの質量を小さくできるため、第２のガイド軸にかかる荷重を小さくできる。特に第２のガイド軸に近い側を切り欠くことで、その効果は大きくなる。さらにこの切り欠き部分に光ピックアップが最内周まで移動したことを検知する内周センサの検知板をスピンドルモータと干渉せずに設けることができる。
【００２７】
本発明の請求項９の発明は、請求項１の発明において前記光ピックアップの前記光ディスクに対向した側の面から反対側の面までの厚さを５ｍｍ以下とした前記光ピックアップを備えた光ピックアップモジュールである。
【００２８】
厚さが５ｍｍ以下とすることに伴い、光ピックアップの質量も小さくなるため、第２のガイド軸にかかる荷重も小さくなる。
【００２９】
本発明の請求項１０の発明は、請求項１の発明において前記光ピックアップの質量を１０．５ｇ以下とした光ピックアップモジュールである。
【００３０】
そのため第２のガイド軸にかかる荷重が小さくなる。
【００３１】
本発明の請求項１１の発明は、請求項１の発明の光ピックアップモジュールを備えた光ディスク装置である。
【００３２】
軽量化、薄型化された光ピックアップモジュールを備えているので光ディスク装置も軽量化、薄型化することができる。
【００３３】
（実施の形態１）
実施の形態１について図面を用いて説明する。図１は本実施の形態１の光ピックアップモジュールの構成図である。光ピックアップモジュール１４のカバー１３は外している。図２は本実施の形態１の光ピックアップモジュールに搭載される光ピックアップの構成図である。また図３（ａ）は２波長半導体レーザ光源を用いた光ピックアップの光学系の構成図、図３（ｂ）は単波長半導体レーザ光源を２台用いた光ピックアップの光学系の構成図である。
【００３４】
ベース１は光ピックアップモジュール１４の骨組みを成すもので、このベース１に直接的、間接的に各部品が固定される。光ディスクを載置するターンテーブルを備えたスピンドルモータ２はベース１に固定される。
【００３５】
フィードモータ３はベース１に固定される。フィードモータ３は光ピックアップ７が光ディスク３３の内周と外周の間を移動するために必要な回転駆動力を生成する。フィードモータ３としてステッピングモータ、ＤＣモータ等が使用される。スクリューシャフト４はらせん状に溝が掘られており、直接または数段のギアを介してフィードモータ３に接続されている。本実施の形態１では直接フィードモータ３と接続されている。第１のガイド軸５は両端の部分を調整部材９と固定部材１０を介してベース１に固定されている。第２のガイド軸６は両端の部分を調整部材１１、１２を介してベース１に固定されている。光ピックアップ７は第１の腕部２３ａの孔２３ｃに第１のガイド軸５の中央の部分が貫通し、第２の腕部２３ｂの溝２３ｄに第２のガイド軸６の中央の部分が貫通して移動自在に保持される。光ピックアップ７はガイド歯を有するラック８を第１の腕部２３ａに備えている。ラック８がスクリューシャフト４に伝達されたフィードモータ３の回転駆動力を直線駆動力に変換することで光ピックアップ７は光ディスク３３の内周と外周の間を移動することができる。本実施の形態１において、スクリューシャフト４とラック８を合わせて伝達機構という。伝達機構側の光ピックアップ７の一端を保持するガイド軸を第１のガイド軸５、伝達機構と逆側の光ピックアップ７の他端を保持するガイド軸を第２のガイド軸６という。
【００３６】
第１のガイド軸５と第２のガイド軸６は、光ピックアップ７から出射されるレーザ光が光ディスク３３に対し直角に入射するように、第１のガイド軸５の調整部材９と第２のガイド軸６の調整部材１１、１２が調整される。
【００３７】
第１のガイド軸５と光ピックアップ７の孔２３ｃの隙間はごくわずかであり、光ピックアップ７の移動の際には少なからず、その負荷が第１のガイド軸５にかかる。さらに第１のガイド軸５には光ピックアップ７の重量の約半分およびラック８がスクリューシャフト４にかける押圧力の反作用の力がかかる。
【００３８】
一方、溝２３ｄの底部と第２のガイド軸６の間にはある程度のスペースが設けてあり、第１のガイド軸５方向からの何らかの衝撃が光ピックアップ７から伝わっても、それが第２のガイド軸６にはほとんど伝達されない。したがって第２のガイド軸６は第２のガイド軸６の上部と接触する溝２３ｄの天井部からかかる光ピックアップ７の重量の約半分が負荷の大半であり、第１のガイド軸５ほど大きな荷重はかからない。
【００３９】
第２のガイド軸６はＳＵＳ３０４やＳＵＳ４２０Ｊ２等のステンレス合金等で構成される。第２のガイド軸６は本実施の形態１においてはＳＵＳ４２０Ｊ２とし、直径Φ１．２ｍｍの略円柱形状とした。調整部材１１、１２に支持される両端の部分も、光ピックアップ７を保持する中央の部分も直径は同じである。したがって作製する際、１本の段差のないシャフトとして作製できるのでコストを低く抑えることができる。長さは光ピックアップ７の移動距離と光ピックアップ７の腕部２３ｂの長さとを合わせた光ピックアップ７を保持する中央の部分と調整部材１１、１２に支持される両端の部分の長さにより決定される。
【００４０】
本実施の形態１では第２のガイド軸６の形状は略円柱形状としたが、それに限るものではなく、前述の略円柱形状に対し、従来例のように両端の支持される部分の直径をより細く、中央の光ピックアップ７を保持する部分の直径をより太くしても良い。しかし、前述の略円柱形状に対し、両端の支持される部分の直径をより太く、中央の光ピックアップ７を保持する部分の直径をより細くすることは、望ましくない。これは両端の支持される部分の直径は光ピックアップ７の姿勢の調整代を確保するためには太いことが望ましくはないし、中央の光ピックアップ７を保持する部分の直径は第２のガイド軸６の強度を確保するためには細いことが望ましくないためである。
【００４１】
光ピックアップ７の質量をｍ（ｋｇ）、第２のガイド軸６のヤング率をＥ（Ｐａ）、第２のガイド軸６の降伏点をσ（Ｐａ）、第２のガイド軸６の光ピックアップを保持する部分の直径をＤ（ｍ）、第２のガイド軸６が両端で支持される間の長さをＬ（ｍ）、重力加速度をｇ（ｍ／ｓ2）、第２のガイド軸６の曲率半径をρ（ｍ）、安全率をｎとする。第２のガイド軸６の梁の中央に曲げ応力がかかるとした場合、曲率半径ρは（式４）で表すことができる。
【００４２】
１／ρ＝Ｍ／ＥＩ・・・（式４）
ここで、Ｍは曲げモーメントであり、梁の中央に曲げ応力がかかる場合（式５）である。
【００４３】
Ｍ＝ｍｇＬ／４・・・（式５）
またＩは弾性２次モーメントであり、円形断面形状の場合（式６）である。
【００４４】
Ｉ＝πＤ4／６４・・・（式６）
これより曲率半径ρは（式１）となる。
【００４５】
ρ＝πＥＤ4／１６ｍｇＬ・・・（式１）
そして曲げ応力による長さ方向の変形量が永久ひずみを生じない応力であるように降伏点σ以下として安全率ｎを考慮すると（式２）、（式３）となる。
【００４６】
σＬ／Ｅｎ＝２ρｃｏｓ-1（（√（ρ2−（Ｌ／２）2））／ρ）−Ｌ・・・（式２）
ここでｃｏｓ-1（（√（ρ2−（Ｌ／２）2））／ρ）の単位はラジアンである。
【００４７】
ｎ≦１０，０００・・・（式３）
すなわち、（式１）は第２のガイド軸６の光ピックアップ７を保持する部分に曲げ応力がかかった時の曲率半径ρを求める式、（式２）は第２のガイド軸６が最大に撓む場合に降伏点σまで応力がかかる式であり、それを（式３）の安全率を見込んで導出したものである。曲げ応力は安全率を見込んで降伏点σまでかけるとしているので第２のガイド軸６の強度は十分確保できる。この（式１）から（式３）に以下の数値を代入して第２のガイド軸６の直径であるＤを計算すると次の通りとなる。ｍ＝１０．５×１０-3ｋｇ、Ｅ＝２０×１０10Ｐａ、σ＝０．１５×１０10Ｐａ、Ｌ＝４０×１０-3ｍ、ｇ＝９．８ｍ／ｓ2とし、ｎ＝１０，０００のとき、Ｄ≒０．００１ｍ、すなわち直径≒１．０ｍｍとなる。すなわち、第２のガイド軸６の直径がΦ１．０ｍｍ以上あれば強度に問題なく第２のガイド軸６として使用できる。
【００４８】
本実施の形態１において直径がΦ１．２ｍｍとしたが、安全率を逆に計算すると約４４，０００となり、より十分な強度が確保できる。また従来例で示した光ピックアップを保持する部分の直径がΦ１．８ｍｍ、両端の支持される部分の直径をΦ１．２ｍｍの場合に対し０．４ｇほど軽くできる計算になる。また両端の支持される部分の長さを両端合わせて１０ｍｍとすると、前述の略円柱形状とした場合の第２のガイド軸６の直径は約Φ１．７ｍｍ以下で従来例で示した形状よりも軽くなり、軽量化としての効果が現れる。また前述の略円柱形状の第２のガイド軸６の直径がΦ１．２ｍｍあれば実際の第２のガイド軸６を作製する上で第２のガイド軸６の真直度も容易に満たすことができる。
【００４９】
光ピックアップ７はレーザ光源２１とレーザ光源２１より出射されたレーザ光を光ディスク３３に集光させる対物レンズ２２とを備えた光学系と、光学系を搭載したキャリッジ２３と、キャリッジ２３の光ディスク３３側に設けられたＦＰＣカバー２４とアクチュエータカバー２５とを備えている。光ピックアップ７は光ディスク３３に対して情報の記録または再生の少なくとも一方を行う。
【００５０】
本実施の形態１における光ピックアップ７の構成は以下の通りとなる。本実施の形態１において光ピックアップ７の光学系は図３（ａ）に示すようにレーザ光源２１は近接した複数の発光点を備えるようにした。近接した複数の発光点を備えたレーザ光源２１としては、複数の異なる波長のレーザ素子を１つのパッケージに隣接して配置したもの（いわゆるハイブリッド型２波長半導体レーザ光源）や、１つの半導体基板に複数の波長の光源を集積化した半導体レーザ素子（いわゆるモノリシック型２波長半導体レーザ光源）などがある。これらの２波長半導体レーザ光源では、ハイブリッド型、モノリシック型のいずれの場合においても、２つの波長の発光点の距離は約１１０μｍである。図３（ａ）において波長の異なる複数の発光点を近接して設けた２波長半導体レーザ光源であるレーザ光源２１はＤＶＤ用の波長λ１（６５０ｎｍ）の発光点２１ｃおよびＣＤ用の波長λ２（７８０ｎｍ）の発光点２１ｄを備える。２波長半導体レーザ光源２１はいわゆるハイブリッド型２波長半導体レーザでもいわゆるモノリシック型２波長半導体レーザでも構わない。
【００５１】
回折格子２７は光学部材の表面または内部に回折格子２７を形成したもので、発光点２１ｄから出射された光を３ビームトラッキング法に使用する３本の光に分離する。集積プリズム２８は内部に複数の傾斜面が設けられた光学部材で構成されており、傾斜面には波長に応じた偏光分離膜（図示せず）が形成されている。
【００５２】
第１のコリメートレンズ２９、２焦点対物レンズである対物レンズ２２はそれぞれ光学ガラスまたは光学プラスチックで作製されている。発光点２１ｃ、発光点２１ｄから出射された光は第１のコリメートレンズ２９で略平行光にされ、対物レンズ２２でそれぞれの波長に応じた光ディスク３３の位置に焦点を結ぶように集光される。第１のコリメートレンズ２９の中心と対物レンズ２２の中心を結ぶ線およびその延長を光学系の光軸という。２焦点の対物レンズ２２としては、集光レンズおよびフレネルレンズまたはホログラムレンズの組合せ、ＤＶＤ用集光レンズにＣＤ再生時に開口制限手段を設ける組合せ等を用いることができる。
【００５３】
ＢＳ（ビームスプリッタ）プレート３０はレーザ光源２１から出射された往路光の一部を透過して光量のモニタ用に分離するビームスプリッタであり、光ディスク３３で反射された復路光は全て反射されるように設計されている。
【００５４】
立ち上げプリズム３１はそれまで光ディスク３３の面に略平行な面内にあった光軸を光ディスク３３の面に略垂直に立ち上げるためのプリズムでミラーとしても良い。ホログラム素子３２は偏光ホログラム３２ａと１／４波長板３２ｂとで構成されている。偏光ホログラム３２ａは波長λ１の光にのみ作用するよう波長選択性のある材料で作製されている。また１／４波長板３２ｂは波長λ１、λ２の両方に作用するよう屈折率と厚みが設定されている。ホログラム素子３２は対物レンズ２２とともに共通の部材（図示せず）に固着されており、対物レンズ２２とともに動く。
【００５５】
光ディスク３３はＣＤ系がＣＤ、ＣＤ−ＲＯＭ、ＣＤ−Ｒ／ＲＷ、ＤＶＤ系がＤＶＤ−ＲＯＭ、ＤＶＤ±Ｒ／ＲＷ、ＤＶＤ−ＲＡＭなどであり、ＣＤ系もＤＶＤ系も再生専用の媒体を除いて全て記録も再生も可能なものである。また、ＣＤ系とＤＶＤ系の組合せだけでなく、いわゆるＢＤ（ブルーレイディスク）やＨＤＤＶＤ（ハイデフィニションＤＶＤ）等との組合せでも一般性を失わない。
【００５６】
第１の受光センサ３４は光ディスク３３からの反射光を受光し、ＲＦ信号、トラッキングエラー信号、フォーカスエラー信号などを生成する電気信号に変換し出力する受光素子である。また、第２の受光センサ３５は発光点２１ｃ、発光点２１ｄから出射された光の一部を受け、光量を電気信号に変換し出力するセンサである。この電気信号は光ディスク３３へ集光する集光スポットの光量が一定になるようにレーザ光源２１の駆動回路（図示せず）を制御する制御回路（図示せず）に送られる。
【００５７】
一方、単波長半導体レーザ光源を用いる光学系では図３（ａ）における２波長半導体レーザ光源のレーザ光源２１の替わりに図３（ｂ）においてＤＶＤ用の波長λ１のレーザ光を出射するＤＶＤ用半導体レーザ光源２１ａとＣＤ用の波長λ２のレーザ光を出射するＣＤ用半導体レーザ光源２１ｂとをそれぞれ備えている。ＣＤの光学系はＣＤ用半導体レーザ光源２１ｂで２波長半導体レーザ光源であるレーザ光源２１をほぼそのまま置き換え、ＢＳプレート３０の替わりにキュービックＢＳ（ビームスプリッタ）３８を用いている。ＤＶＤの光学系はＤＶＤ用半導体レーザ光源２１ａをＣＤ用半導体レーザ光源２１ｂとは離れた位置に配置し、反射ミラー３６、第２のコリメートレンズ３７を通してキュービックＢＳ３８へ入射するようにしている。すなわち２波長半導体レーザ光源であるレーザ光源２１を用いる光ピックアップ７は光学部品の数がＤＶＤ用半導体レーザ光源２１ａとＣＤ用半導体レーザ用光源２１ｂを用いる光ピックアップ７よりも少なくて済み、その分光ピックアップ７としての質量は小さくて済む。そのため本実施の形態１においてはレーザ光源２１は２波長半導体レーザ光源２１ａとした。
【００５８】
本実施の形態１において、光ピックアップ７の重心が第１のガイド軸５の中心軸と第２のガイド軸６の中心軸を結ぶ直線の中点より第１のガイド軸５に近い側とした。同じ質量を持つ光ピックアップ７でも重心が第２のガイド軸６から離れ、第１のガイド軸５に近づくほど第２のガイド軸６にかかる荷重は小さくなる。前記中点より第１のガイド軸５に近い側とすることでその効果は大きくなる。
【００５９】
またキャリッジ２３の第２のガイド軸６に近い側の側面にキャリッジ２３の第１の切り欠き２３ｅとキャリッジの第２の切り欠き２３ｆを設けてＦＰＣカバー２４との間に隙間を設けるとともに、ＦＰＣカバー２４の一部にＦＰＣカバーの切り欠き２４ａを設ける構成とした。これらは本来光ピックアップ７の内部に光ディスク３３の回転により生じる空気流を導入、排出するためのものであるが、光ピックアップ７の構成部品を切り欠くということで軽量化にも貢献する。さらに第２のガイド軸６に近い部分を切り欠くことで光ピックアップ７の重心を第２のガイド軸６から遠ざけることにも寄与する。
【００６０】
また光ピックアップ７のスピンドルモータ２と対向する面の第２のガイド軸６側の少なくとも一部を切り欠いた構成とした。光ピックアップ７の切り欠き２６は本来光ピックアップ７が最内周まで移動したことを検知する内周センサ１５の検知板１５ａをスピンドルモータ２と干渉しないように設けたものであるが、光ピックアップ７の軽量化に貢献している。また、光ピックアップ７の切り欠き２６は第２のガイド軸６に近い側に設けられており、光ピックアップ７の重心を第２のガイド軸６から遠ざけることにも寄与する。
【００６１】
さらに光ピックアップ７の光ディスク３３に対向した側の面から反対側の面までの厚さを５ｍｍ以下となるような構成とした。また、光ピックアップ７の質量を１０．５ｇ以下となるような構成とした。このような構成とすることにより第２のガイド軸６にかかる荷重は小さくすることができ、結果的に第２のガイド軸６の光ピックアップ７を保持する中央の部分の直径をΦ１．２ｍｍと小さくしても十分な強度を保つことができる。
【００６２】
なお、これらの構成は単独の構成としても用いることができるし、複数の構成を組み合わせて用いても良い。本実施の形態１ではすべての構成を組み合わせた。
【００６３】
（実施の形態２）
実施の形態２について図面を参照しながら説明する。図４は本発明の実施の形態２における光ディスク装置の斜視図を示すものである。図４において光ピックアップモジュール１４は実施の形態１で説明した光ピックアップモジュール１４にカバー１３が設けられたものであり、外部から見えるのは対物レンズ２２を含む光ピックアップ７の一部とスピンドルモータ２である。したがって光ピックアップモジュール１４は強度を保ちつつも軽量で薄型化にも対応できる図示しない第２のガイド軸６を備えている。光ピックアップモジュール１４はトレイ５２に設けられている。筐体５１は上部筐体５１ａと下部筐体５１ｂを組み合わせて構成されている。光ピックアップモジュール１４を設けたトレイ５２は筐体５１に出没自在に設けられている。ベゼル５３はトレイ５２の前端面に設けられて、トレイ５２が筐体５１内に収納された時にトレイ５２の出没口を塞ぐように構成されている。筐体５１内部やトレイ５２内部には図示していない回路基板があり、信号処理系のＩＣや電源回路などが搭載されている。図示していない外部コネクタ５４はコンピュータ等の電子機器に設けられた電源／信号ラインと接続される。そして、外部コネクタ５４を介して光ディスク装置内に電力を供給したり、あるいは外部からの電気信号を光ディスク装置内に導いたり、あるいは光ディスク装置で生成された電気信号を電子機器などに送出する。
【００６４】
以上のように実施の形態１に示す強度を保ちつつも軽量で薄型化にも対応できる第２のガイド軸６を備えた光ピックアップモジュール１４を搭載した光ディスク装置は光ピックアップモジュール１４が軽量で薄型化にも対応できるので軽量で薄型化にも対応できる。
【産業上の利用可能性】
【００６５】
以上のように本発明の光ピックアップモジュールは軽量化、薄型化ができるため、特に軽量化、薄型化が望まれるノートブック型コンピュータに搭載される光ディスク装置に用いられる。
【図面の簡単な説明】
【００６６】
【図１】本実施の形態１の光ピックアップモジュールの構成図
【図２】本実施の形態１の光ピックアップモジュールに搭載される光ピックアップの構成図
【図３】（ａ）２波長半導体レーザ光源を用いた光ピックアップの光学系の構成図、（ｂ）単波長半導体レーザ光源を２台用いた光ピックアップの光学系の構成図
【図４】本発明の実施の形態２における光ディスク装置の斜視図
【図５】従来の光ピックアップモジュールの構成図
【符号の説明】
【００６７】
１    ベース
２    スピンドルモータ
３    フィードモータ
４    スクリューシャフト
５    第１のガイド軸
６    第２のガイド軸
７    光ピックアップ
８    ラック
９、１１、１２    調整部材
１０    固定部材
１３    カバー
１４    光ピックアップモジュール
１５    内周センサ
２１    レーザ光源
２２    対物レンズ
２３    キャリッジ
２４    ＦＰＣカバー
２５    アクチュエータカバー
２６    光ピックアップの切り欠き
２７    回折格子
２８    集積プリズム
２９    第１のコリメートレンズ
３０    ＢＳプレート
３１    立ち上げプリズム
３２    ホログラム素子
３２ａ    偏光ホログラム
３２ｂ    １／４波長板
３３    光ディスク
３４    第１の受光センサ
３５    第２の受光センサ
３６    反射ミラー
３７    第２のコリメートレンズ
３８    キュービックＢＳ
【図１】
2006252693.tif 000003
【図２】
2006252693.tif 000004
【図３】
2006252693.tif 000005
【図４】
2006252693.tif 000006
【図５】
2006252693.tif 000007